(57)【要約】【課題】  軽量かつ良好な外観を有する機器、電子楽器およびこれらを製造する金型を提供する。【解決手段】  内面に上側取付部１０を有する第１部材である上部ケース６と、上側取付部１０に、固定部材であるねじ部材８により取り付けられる第２部材である下部ケース７と、を備え、上側取付部１０は、内部空間１７に連通した開口部が少なくとも１つの側面に設けられている台座部１２と、この台座部１２上に配置され、ねじ部材８が挿入されるボス部１３と、を有し、台座部１２は、ボス部１３より幅および奥行きが長い。従って、台座部１２内の内部空間１７によって上部ケース６の上面である表面にヒケと称する窪みの発生を抑えて、外観およびデザインを向上させることができる。また、台座部１２の内部空間１７および台座部１２の幅および奥行きがボス部１３よりも長いことにより、上側取付部１０の重量を軽くして、上部ケース６の軽量化を図ることができる。【選択図】        図３
2019114713.tif 000002
【特許請求の範囲】
【請求項１】
内面に取付部を有する第１部材と、
前記取付部に、固定部材により取り付けられる第２部材と、
を備え、
前記取付部は、
内部空間に連通した開口部が少なくとも１つの側面に設けられている台座部と、
前記台座部上に配置され、前記固定部材が挿入されるボスと、
を有し、
前記台座部は、前記ボスより幅及び奥行きの少なくとも一方が長いことを特徴とする機器。
【請求項２】
請求項１に記載の機器において、前記台座部の前記幅及び前記奥行きの長さは、前記ボスの前記幅及び前記奥行きの長さより長いことを特徴とする機器。
【請求項３】
請求項１または請求項２に記載の機器において、前記取付部の縦断面における前記内部空間の幅は、前記ボスの内部に設けられている前記固定部材が挿入される挿入孔の幅より広いことを特徴とする機器。
【請求項４】
請求項１〜請求項３のいずれかに記載の機器において、前記台座部における横断面は前記ボスにおける横断面よりも大きいことを特徴とする機器。
【請求項５】
請求項１〜請求項４のいずれかに記載の機器において、前記開口部側の前記内部空間は、前記開口部側と反対側の前記内部空間より広いことを特徴とする機器。
【請求項６】
請求項１〜請求項５のいずれかに記載の機器において、前記取付部は、前記台座部及び前記ボスの側面に、前記台座部及び前記ボスを補強する補強部、を備えていることを特徴とする機器。
【請求項７】
操作子の形状に応じた貫通孔を有するとともに、内面に取付部を有する第１部材と、
前記取付部に、固定部材により取り付けられる第２部材と、
前記操作子の操作に応じた楽音を発音する発音部と、
を備え、
前記取付部は、
内部空間に連通した開口部が少なくとも１つの側面に設けられている台座部と、
前記台座部上に配置され、前記固定部材が挿入されるボスと、
を有し、
前記台座部は、前記ボスより幅及び奥行きの少なくとも一方が長いことを特徴とする電子楽器。
【請求項８】
内面に取付部を有する第１部材と、
前記取付部に、固定部材により取り付けられる第２部材と、
を備え、
前記取付部は、
内部空間に連通した開口部が少なくとも１つの側面に設けられている台座部と、
前記台座部上に配置され、前記固定部材が挿入されるボスと、
を有し、
前記台座部は、前記ボスより幅及び奥行きの少なくとも一方が長いことを特徴とする機器を製造する金型。
【発明の詳細な説明】
【技術分野】
【０００１】
この発明は、鍵盤楽器などの機器、電子楽器およびこれらを製造する金型に関する。
【背景技術】
【０００２】
例えば、電子鍵盤楽器においては、特許文献１に記載されているように、下部ケースと上部ケースとを重ね合わせた楽器ケース内に鍵盤部を配置する際に、下部ケースに設けられた下側ボス部と、上部ケースに設けられた上側ボス部との間に、鍵盤部の鍵盤シャーシと鍵との各後部を挟んで取り付けるようにした構造のものが知られている。
【先行技術文献】
【特許文献】
【０００３】
【特許文献１】特開平９−１７１３８６号公報
【０００４】
このような電子鍵盤楽器の楽器ケースにおいては、下部ケースの下側ボス部が円筒状に形成され、上部ケースの上側ボス部が円柱状に形成され、この上側ボス部の下部にねじ孔が設けられていることにより、下側ボス部の内部にねじが下側から挿入され、この挿入されたねじが上側ボス部のねじ孔に鍵盤シャーシと鍵との各後部を通して螺合する構造になっている。
【０００５】
これにより、この楽器ケースは、下側ボス部と上側ボス部との間に鍵盤部の鍵盤シャーシと鍵との各後部を挟んだ状態で、下側ボス部内に挿入されたねじが上部ケースの上側ボス部のねじ孔に螺合して締め付けられることにより、下部ケースと上部ケースとが重なり合って取り付けられるようになっている。
【発明の概要】
【発明が解決しようとする課題】
【０００６】
このような電子鍵盤楽器の楽器ケースでは、上部ケースの上側ボス部と下部ケースの下側ボス部とのうち、上部ケースの上側ボス部が円柱状に形成され、上部ケースと上側ボス部との境界における成型面積が広いため、上部ケースの上面にヒケと称する窪みが発生し、外観が損なわれるほか、上部ケースの重量が重くなるという問題がある。
【０００７】
この発明が解決しようとする課題は、軽量かつ良好な外観を有する機器、電子楽器およびこれらを製造する金型を提供することである。
【課題を解決するための手段】
【０００８】
この発明の一態様は、内面に取付部を有する第１部材と、前記取付部に、固定部材により取り付けられる第２部材と、を備え、前記取付部は、内部空間に連通した開口部が少なくとも１つの側面に設けられている台座部と、前記台座部上に配置され、前記固定部材が挿入されるボスと、を有し、前記台座部は、前記ボスより幅及び奥行きの少なくとも一方が長いことを特徴とする機器である。
【発明の効果】
【０００９】
この発明によれば、軽量かつ良好な外観を有する機器、電子楽器およびこれらを製造する金型を提供することができる。
【図面の簡単な説明】
【００１０】
【図１】この発明を電子鍵盤楽器に適用した一実施形態を示した斜視図である。
【図２】図１に示された電子鍵盤楽器のＡ−Ａ矢視における要部を示した拡大断面図である。
【図３】図２に示された上部ケースの内面側を示した斜視図である。
【図４】図３に示された上部ケースのＢ−Ｂ矢視における拡大断面図である。
【図５】図４に示された上側取付部を示し、（ａ）はその拡大斜視図、（ｂ）はその拡大断面図である。
【図６】図４に示された上部ケースおよび上側取付部を成型する成型用金型の要部を示した断面図である。
【図７】図６に示された成型用金型における要部の断面を示し、（ａ）はスライドコアによって上側取付部の台座部を成型する状態を示した拡大断面図、（ｂ）は成型用金型の離型時においてスライドコアが成型品である上部ケースと共に押し出されながらスライドする状態を示した拡大断面図、（ｃ）は成型用金型の離型時においてスライドコアが成型品である上部ケースと共に押し出されて台座部内から抜き出された状態を示した拡大断面図である。
【図８】図５（ｂ）に示された上側取付部の変形例を示した要部の拡大断面図である。
【発明を実施するための形態】
【００１１】
以下、図１〜図７を参照して、この発明を電子鍵盤楽器に適用した一実施形態について説明する。
この電子鍵盤楽器は、図１に示すように、楽器ケース１を備えている。この楽器ケース１は、前後方向と直交する横方向の長さが長いほぼ箱状に形成されている。この楽器ケース１は、鍵盤部２およびスピーカ３が内蔵されているほか、この楽器ケース１の上面には、スイッチ部４および表示部５が設けられている。
【００１２】
鍵盤部２は、図１に示すように、操作子である白鍵２ａと黒鍵２ｂとを備え、これらが並列に配列された状態で、楽器ケース１の内部に上方に露出して設けられている。スピーカ３は、白鍵２ａおよび黒鍵２ｂの操作に応じて楽音を発音するものであり、楽器ケース１内の両側に配置されている。スイッチ部４は、音色選択、音量調整、表示モードの切替などの楽器に必要な各種のスイッチを備えている。
【００１３】
表示部５は、図１および図２に示すように、液晶表示パネルやＥＬ（エレクトロ・ルミネッセンス）表示パネルなどの平面型の表示パネルを備え、この表示パネルで楽器に必要な各種の情報を電気光学的に表示するようになっている。この場合、表示部５およびスイッチ部４は、楽器ケース１内に設けられた回路基板ＣＰと電気的に接続されている。
【００１４】
ところで、この楽器ケース１は、図１および図２に示すように、第１部材である上部ケース６と第２部材である下部ケース７とを備え、これら上部ケース６と下部ケース７とが重ね合わされた状態で固定部材であるねじ部材８によって取り付けられるようになっている。この場合、下部ケース７は、鍵盤部２が配置される前側ケース部７ａと、上部ケース６に対応して取り付けられる後側ケース部７ｂと、を備えている。
【００１５】
上部ケース６の内面における中央部には、図３に示すように、表示開口部９ａが表示部５に対応して設けられている。また、この上部ケース６の内面における複数箇所には、回路基板ＣＰなどの各種の部品が取り付けられる複数の部品取付ボス９ｂがそれぞれ設けられていると共に、スイッチ部４の各種のスイッチが取り付けられる複数のスイッチ取付部９ｃがそれぞれ設けられている。
【００１６】
また、上部ケース６の内面における複数箇所には、図２および図３に示すように、上側取付部１０がそれぞれ下側（図３では上側）に向けて突出して設けられている。下部ケース７の後側ケース部７ｂの内面における複数箇所には、上部ケース６の上側取付部１０に対応する下側取付部１１がそれぞれ上方に向けて突出して設けられている。
【００１７】
この場合、下部ケース７の下側取付部１１は、図２に示すように、下部ケース７の後側ケース部７ｂの内面に一体に形成されたボス部であり、内部にねじ部材８が挿入する筒状に形成されている。この下側取付部１１の上端部には、ねじ部材８のねじ部８ａが挿入するねじ挿入孔１１ａが設けられている。また、この下側取付部１１の下端部は、下部ケース７の下側に開放されている。
【００１８】
この場合、ねじ部材８は、図２に示すように、ねじ部８ａと頭部８ｂとを備えている。このねじ部材８は、下部ケース７の下側から下側取付部１１内に挿入されて、ねじ部８ａが下側取付部１１の上端部に設けられたねじ挿入孔１１ａに挿入され、このねじ挿入孔１１ａに挿入されたねじ部８ａが下側取付部１１の上側に突出して後述する上側取付部１０に螺合するようになっている。
【００１９】
一方、上部ケース６の上側取付部１０は、図２〜図４に示すように、上部ケース６の内面に一体に形成された台座部１２と、この台座部１２の下面に一体に形成されたボス部１３と、を備えている。台座部１２は、上部ケース６の内面に一体に形成された脚部１４と、この脚部１４の下部に一体に形成された搭載部１５と、を備え、これらの内部に内部空間１７が設けられ、この内部空間１７に連通する開口部が一側部に設けられた構造になっている。
【００２０】
脚部１４は、図４および図５に示すように、楽器ケース１の長手方向における一方の側面が開放された四角形のほぼ枠状に形成されている。すなわち、この脚部１４は、少なくとも縦板が互いに平行に対向した状態で、開放側の側部に対向する他方の側部が塞がれたほぼ枠状に組み合わされた構造になっている。
【００２１】
この場合、脚部１４は、図４および図５に示すように、必ずしも開放側の側部に対向する他方の側部が塞がれたほぼ枠状である必要はなく、互いに対向する側部が開放された構造であっても良い。搭載部１５は、上部ケース６の内面と反対側に位置する脚部１４の下端部に設けられて脚部１４の下部側を塞ぐ横板であり、その肉厚が脚部１４の肉厚よりも厚く形成されている。
【００２２】
これにより、台座部１２は、図４および図５に示すように、搭載部１５がほぼ枠状の脚部１４によって支持された状態で、一方の側面が開放されたほぼ四角形の箱状に形成されている。すなわち、この台座部１２は、脚部１４と搭載部１５とで囲われた領域内に、一方の側面が開放された内部空間１７が形成されている。
【００２３】
この場合、一方の側面の開放側の内部空間１７は、開放側と反対側の内部空間１７よりも広い。すなわち、内部空間１７の対向面の間隔は、一方の側面の開放側が開放側と反対側よりも広い。つまり、枠状の脚部１４における互いに対向する脚部１４の肉厚は、外面形状が同じである場合、一方の側面の開放側が開放側と反対側よりも薄い。これにより、互いに対向する脚部１４の内面には、成型時の抜き勾配が設けられている。
【００２４】
ボス部１３は、図４および図５に示すように、柱状に形成され、台座部１２の搭載部１５の下面に一体に形成されている。このボス部１３の下部、つまり上部ケース６の内面と反対側に位置するボス部１３の下部には、ねじ部材８のねじ部８ａが螺合するねじ孔１３ａが設けられている。この場合、上側取付部１０の縦断面における内部空間１７の幅は、ボス部１３の内部に設けられているねじ部材８のねじ部８ａが挿入される挿入孔であるねじ孔１３ａの幅より広い。
【００２５】
また、台座部１２の幅つまり互いに対向する脚部１４の間隔および奥行きの長さつまり開放側の側面とこれに対向する側面との間隔は、図５（ａ）および図５（ｂ）に示すように、ボス部１３の外形の幅および奥行きの長さよりも長い。この場合、台座部１２は、ボス部１３の幅および奥行きの少なくとも一方が長ければ良い。
【００２６】
さらに、台座部１２は、図５（ａ）および図５（ｂ）に示すように、搭載部１５の横断面積がボス部１３の横断面積よりも大きく形成されている。これにより、ボス部１３は、その外径が搭載部１５の下面からはみ出すことなく大きく形成されている。また、ボス部１３は、その上下方向の長さ（高さ）が台座部１２の上下方向の長さ（高さ）よりも長く、約３倍の長さで形成されている。
【００２７】
また、台座部１２とボス部１３との各外面には、図４および図５に示すように、複数の補強リブ１６が設けられている。これら複数の補強リブ１６は、ボス部１３の外面に設けられた複数のボス補強リブ１６ａと、台座部１２の外面に設けられた複数の台座補強リブ１６ｂと、を備えている。複数のボス補強リブ１６ａそれぞれは、ボス部１３の下部側から台座部１２の搭載部１５に亘って次第に幅が広く、上下方向に長いほぼ三角形状に形成されている。
【００２８】
複数の台座補強リブ１６ｂそれぞれは、図４および図５に示すように、台座部１２の搭載部１５から上部ケース６の内面に亘って次第に幅が広くなって裾野が広がるように、上下方向の高さが低く、横方向に長いほぼ三角形状に形成されている。この場合、複数のボス補強リブ１６ａと複数の台座補強リブ１６ｂとのそれぞれは、ボス部１３の下部側から台座部１２を経て上部ケース６の内面に亘って連続して形成されている。
【００２９】
次に、この楽器ケース１を製作する場合について説明する。
まず、上部ケース６を成型用金型２０で成型する。この成型用金型２０は、図６および図７に示すように、第１金型である上金型２１と第２金型である下金型２２とスライドコア２３とを備えている。すなわち、この成型用金型２０は、上金型２１と下金型２２とが重ね合わされた際に、これらの内部に上部ケース６を形成する成型用空間である本体キャビティ２４が形成されるようになっている。
【００３０】
この場合、下金型２２には、図６および図７に示すように、上側取付部１０を形成する成型用空間である取付キャビティ２５が形成されている。すなわち、この取付キャビティ２５は、上側取付部１０の台座部１２の外形とボス部１３の外形と複数の補強リブ１６とボス部１３のねじ孔１３ａが形成される孔部２５ａとを形成するようになっている。
【００３１】
また、スライドコア２３は、図６および図７に示すように、上金型２１と下金型２２とが重ね合わされた状態で、下金型２２内にスライド可能に配置されることにより、台座部１２の内部、つまり脚部１４と搭載部１５とで囲われた内部空間１７を形成するようになっている。すなわち、このスライドコア２３は、上金型２１と下金型２２とで上部ケース６を成型する際に、下金型２２内における台座部１２の内部空間１７に対する箇所に配置されるようになっている。
【００３２】
この場合、スライドコア２３は、図７（ａ）〜図７（ｃ）に示すように、台座部１２における一方の側面の開放側の内部空間１７が開放側と反対側の内部空間１７よりも広くなるように、内部空間１７の内面に抜き勾配を形成して、台座部１２の内部空間１７を形成するようになっている。また、このスライドコア２３は、下金型２２のコア収納部２２ａ内に配置され、台座部１２と反対側の端部に傾斜部２３ａが形成され、この傾斜部２３ａがコア収納部２２ａ内の傾斜部２２ｂに沿って移動するようになっている。
【００３３】
また、このスライドコア２３は、図７（ａ）〜図７（ｃ）に示すように、下金型２２から成型品である上部ケース６を押出装置２６で抜き出す際に、この上部ケース６と一体的に移動しながら下金型２２に対する上部ケース６の離型動作に連動して、下金型２２のコア収納部２２ａの傾斜部２２ｂに沿って斜め上方に移動することにより、離型方向と直交する方向にスライドして台座部１２内から抜け出すようになっている。
【００３４】
この場合、押出装置２６は、図６および図７に示すように、下金型２２の下側に配置された固定ベース２７と、この固定ベース２７上に配置されて下金型２２に向けて接離可能に移動する可動ベース２８と、この可動ベース２８に設けられて成型品である上部ケース６を下金型２２内から押し出す押出棒２９と、可動ベース２８にスライド片３０ａによってスライド可能に設けられてスライドコア２３を斜め上方に押し上げる傾斜ピン３０と、を備えている。
【００３５】
これにより、スライドコア２３は、図７（ａ）〜図７（ｃ）に示すように、押出装置２６の可動ベース２８が下金型２２に向けて移動して、押出棒２９が成型品である上部ケース６を下金型２２から押し出す際に、上部ケース６と一体的に移動しながら、可動ベース２８に設けられた傾斜ピン３０によって下金型２２のコア収納部２２ａの傾斜部２２ｂに沿って斜め上方に移動して、台座部１２内から抜け出すようになっている。
【００３６】
次に、このような成型用金型２０で上部ケース６を成型する場合について説明する。
この場合には、予め、スライドコア２３を下金型２２内に配置する。すなわち、下金型２２内における台座部１２の内部空間１７に対するコア収納部２２ａ内にスライドコア２３を配置する。
【００３７】
このときには、スライドコア２３の傾斜部２３ａと下金型２２のコア収納部２２ａ内の傾斜部２２ｂとを密接させる。また、このときには、押出装置２６の傾斜ピン３０をスライドコア２３の連結穴２３ｂに挿入させてスライドコア２３に連結させる。この状態で、上金型２１と下金型２２とを重ね合わせて、これの内部に、上部ケース６を形成する成型用空間である本体キャビティ２４と、上側取付部１０を形成する成型用空間である取付キャビティ２５と、を形成する。
【００３８】
この状態で、上金型２１と下金型２２との内部に樹脂を注入して、上部ケース６を成型する。そして、上金型２１と下金型２２との内部で樹脂が硬化して成型品である上部ケース６が形成された際には、まず、上金型２１と下金型２２とを離型する。すると、上部ケース６の上面である表面から上金型２１が取り外される。このときには、上部ケース６は下金型２２内に配置されている。
【００３９】
この状態で、下金型２２内から上部ケース６を取り出す。この場合には、下金型２２の下側に配置された押出装置２６の可動ベース２８を下金型２２に向けて接近させる。すると、押出装置２６の押出棒２９が上部ケース６を下金型２２内から押し出す。このときには、上部ケース６と共にスライドコア２３が押し出されると共に、押出装置２６の傾斜ピン３０がスライドコア２３を押し上げる。
【００４０】
すなわち、傾斜ピン３０によってスライドコア２３が押し上げられる際には、スライドコア２３の傾斜部２３ａが下金型２２のコア収納部２２ａ内の傾斜部２２ｂに沿って斜め上方に押し上げられる。このときには、可動ベース２８の上方への移動に伴って傾斜ピン３０の下端部がスライド片３０ａによって可動ベース２８の面方向にスライドするので、傾斜ピン３０は一定の傾斜角度で押し上げられる。このため、スライドコア２３は、台座部１２と共に下金型２２のコア収納部２２ａ内から押し出されながら、台座部１２の内部から徐々に抜け出す。
【００４１】
この後、可動ベース２８が下金型２２に更に接近して、押出棒２９が上部ケース６を更に押し出した際には、傾斜ピン３０がスライドコア２３を更に押し上げる。このときにも、可動ベース２８の上方への移動に伴って傾斜ピン３０の下端部がスライド片３０ａによって可動ベース２８の面方向にスライドするので、傾斜ピン３０は一定の傾斜角度で押し上げられる。
【００４２】
このため、スライドコア２３の傾斜部２３ａが下金型２２のコア収納部２２ａの傾斜部２２ｂに沿って移動しながら、スライドコア２３がコア収納部２２ａ内から押し出される。これにより、スライドコア２３が台座部１２の内部から完全に抜け出して、台座部１２の内部に内部空間１７を形成すると共に、上部ケース６の上側取付部１０のボス部１３が下金型２２内から抜け出す。
【００４３】
この結果、成型品である上部ケース６が下金型２２内から取り出される。これにより、上部ケース６が形成され、この上部ケース６の内面に上側取付部１０が一体に形成される。この場合、上側取付部１０は、搭載部１５が枠状の脚部１４に支持された台座部１２と、この台座部１２に設けられたボス部１３と、これら台座部１２およびボス部１３に設けられた補強リブ１６と、が一体に形成されると共に、台座部１２内に内部空間１７が形成される。
【００４４】
このように形成された上部ケース６は、上側取付部１０の台座部１２が枠状の脚部１４によって搭載部１５を支持した構造であるから、台座部１２の内部に脚部１４と搭載部１５と上部ケース６とで囲われて一側が開放された内部空間１７が形成される。このため、この上部ケース６の内面に台座部１２を一体に形成しても、内部空間１７によって上部ケース６の上面である表面にヒケと称する窪みの発生が抑えられるので、外観的にもデザイン的にも好ましい上部ケース６が得られる。
【００４５】
一方、下部ケース７を成型用金型（図示せず）によって成型する場合には、上部ケース６を成型する成型用金型２０のスライドコア２３を用いる必要がない。このため、下部ケース７を成型する成型用金型は、上金型と下金型とで構成され、これらによって容易に下部ケース７を成型することができる。
【００４６】
次に、このように成型された上部ケース６と下部ケース７とを組み立てる場合には、下部ケース７上に上部ケース６を重ね合わせる。このときには、下部ケース７内に設けられた下側取付部１１に上部ケース６内に設けられた上側取付部１０を対応させて、上側取付部１０のボス部１３に設けられたねじ孔１３ａを下側取付部１１のねじ挿入孔１１ａに同一軸上に対応させる。
【００４７】
この状態で、下部ケース７の下側からねじ部材８を下側取付部１１内に挿入させて、ねじ部材８のねじ部８ａを下側取付部１１のねじ挿入孔１１ａに挿入させ、この挿入されたねじ部材８のねじ部８ａを上側取付部１０のボス部１３のねじ孔１３ａに螺入させる。そして、ねじ部材８を締め付けると、ねじ部材８の頭部８ｂが下側取付部１１内の上端部に当接してねじ部８ａが上側取付部１０のボス部１３を引き下げて下側取付部１１の上端部に押し付ける。
【００４８】
これにより、上部ケース６の上側取付部１０が下部ケース７の下側取付部１１に取り付けられるので、上部ケース６と下部ケース７とが重なり合った状態で相互に取り付けられる。これにより、楽器ケース１が形成される。
【００４９】
このように、この電子鍵盤楽器の楽器ケース１によれば、内面に上側取付部１０を有する第１部材である上部ケース６と、上側取付部１０に、固定部材であるねじ部材８により取り付けられる第２部材である下部ケース７と、を備え、上側取付部１０は、内部空間１７に連通した開口部が少なくとも１つの側面に設けられている台座部１２と、この台座部１２上に配置され、ねじ部材８が挿入されるボス部１３と、を有し、台座部１２は、ボス部１３より幅および奥行きが長いことにより、軽量かつ良好な外観を有する機器、電子楽器およびこれらを製造する金型を提供することができる。
【００５０】
すなわち、この楽器ケース１では、上側取付部１０の台座部１２の内部に内部空間１７が設けられているので、上部ケース６の内面に台座部１２を一体に形成しても、台座部１２内の内部空間１７によって上部ケース６の上面である表面にヒケと称する窪みの発生を抑えることができる。このため、外観的にもデザイン的にも好ましい上部ケース６を提供することができる。
【００５１】
また、この楽器ケース１では、台座部１２の内部空間１７に連通する開口部が台座部１２に一側部に設けられ、かつ台座部１２はボス部１３より幅および奥行きが長いことにより、これらによって上側取付部１０の重量を軽くすることができ、これにより上部ケース６の軽量化を図ることができると共に楽器ケース１全体の軽量化をも図ることができる。
【００５２】
この場合、台座部１２は、脚部１４が少なくとも一側部を開口させた四角形のほぼ枠状に形成され、搭載部１５が脚部１４の下部側を塞ぐ板状に形成されていることにより、台座部１２の内部に脚部１４と搭載部１５とで囲われた内部空間１７を確実にかつ良好に形成することができる。この場合、脚部１４は、ほぼ枠状に形成されていることにより、その肉厚を搭載部１５の肉厚よりも薄く形成することができ、これによっても上部ケース６の上面である表面にヒケと称する窪みの発生を確実に抑えることができる。
【００５３】
また、この楽器ケース１では、上側取付部１０の縦断面における内部空間１７の幅が、ボス部１３の内部に設けられているねじ部材８のねじ部８ａが挿入される挿入孔であるねじ孔１３ａの内径よりも広いことにより、上側取付部１０の強度を高めることができ、これにより上部ケース６の上側取付部１０と下部ケース７の下側取付部１１との取付強度を確保することができ、上部ケース６と下部ケース７とを確実にかつ強固に結合させることができる。
【００５４】
また、この台座部１２は、搭載部１５の横断面積つまり下面の面積がボス部１３の横断面積よりも大きいことにより、ボス部１３を円柱状に形成する際に、外径を大きく形成することができるので、ねじ部材８によって下部ケース７に対する上側取付部１０の取付強度を高めることができると共に、ボス部１３の外径を大きく形成しても、台座部１２によって上部ケース６に発生するヒケを防ぐことができる。
【００５５】
このため、上側取付部１０は、台座部１２とボス部１３とによって上下方向の全体の長さを設定することができるので、台座部１２によってボス部１３の上下方向の長さを短くすることができ、これにより上側取付部１０の上下方向の全体の長さが長くても、上側取付部１０を上部ケース６に一体に成型する成型用金型２０によって容易に成型することができる。
【００５６】
また、この楽器ケース１では、開放側である開口部側の内部空間１７が開口部側と反対側の内部空間１７よりも広いことにより、台座部１２の内部空間１７に成型時の抜き勾配を形成することができ、これにより台座部１２の内部に内部空間１７が形成されていても、内部空間１７を形成するためのスライドコア２３を用いた成型用金型２０によって確実にかつ良好に形成することができる。
【００５７】
また、上側取付部１０は、台座部１２の外面およびボス部１３の外面に複数の補強リブ１６が設けられていることにより、これら複数の補強リブ１６によって台座部１２およびボス部１３の強度を確保することができるので、台座部１２の脚部１４の肉厚を薄く形成しても、台座部１２の強度を確保することができると共に、ボス部１３の上下方向の長さを長くしても、ボス部１３の強度を確保することができる。
【００５８】
すなわち、複数の補強リブ１６は、ボス部１３の外面に設けられた複数のボス補強リブ１６ａと、台座部１２の外面に設けられた複数の台座補強リブ１６ｂと、を備えているので、複数のボス補強リブ１６ａによってボス部１３の強度を確保することができると共に、複数の台座補強リブ１６ｂによって台座部１２の強度を確保することができる。
【００５９】
この場合、複数のボス補強リブ１６ａそれぞれは、ボス部１３の下部側から台座部１２の搭載部１５に亘って次第に幅が広く、上下方向に長いほぼ三角形状に形成されていることにより、ボス部１３の上下方向の長さを長くしても、ボス部１３の強度を確保することができる。
【００６０】
また、複数の台座補強リブ１６ｂそれぞれは、台座部１２の搭載部１５から上部ケース６の内面に亘って次第に幅が広くなって裾野が広がるように、上下方向の高さが低く、横方向に長いほぼ三角形状に形成されていることにより、台座部１２の脚部１４の肉厚を薄く形成しても、台座部１２の強度を確保することができる
【００６１】
この場合、複数のボス補強リブ１６ａと複数の台座補強リブ１６ｂとのそれぞれは、ボス部１３の下部側から台座部１２を経て上部ケース６の内面に亘って連続して形成されていることにより、上側取付部１０が複数の補強リブ１６を備えていても、上側取付部１０を上部ケース６に一体に成型する成型用金型２０によって複数の補強リブ１６を容易に成型することができる。
【００６２】
さらに、この楽器ケース１の成型用金型２０によれば、楽器ケース１が、内面に上側取付部１０を有する上部ケース６と、上側取付部１０に、ねじ部材８により取り付けられる下部ケース７と、を備え、上側取付部１０は、内部空間１７に連通した開口部が１つの側面に設けられている台座部１２と、この台座部１２上に配置され、ねじ部材８のねじ部８ａが挿入されるボス部１３と、を有し、台座部１２は、ボス部１３より幅および奥行きの少なくとも一方が長い楽器ケース１の上部ケース６を良好に製造することができる。
【００６３】
この場合、成型用金型２０は、内部に内部空間１７が設けられた台座部１２と、この台座部１２の搭載部１５に設けられたねじ孔１３ａを有するボス部１３と、を備えた上側取付部１０が内面に設けられた上部ケース６の表面側を形成する上金型２１と、この上金型２１に重なり合って上部ケース６の内面側と上側取付部１０とを形成する下金型２２と、この下金型２２内にスライド可能に配置されて上側取付部１０における台座部１２の内部空間１７を形成するスライドコア２３と、を備えていることにより、ヒケの発生を抑えて外観的にもデザイン的にも好ましい上部ケース６を成型することができる。
【００６４】
すなわち、この成型用金型２０では、上金型２１と下金型２２とによって上部ケース６を形成する成型用空間である本体キャビティ２４を形成することができ、下金型２２によって上側取付部１０を形成する成型用空間である取付キャビティ２５を形成することができ、スライドコア２３によって台座部１２の脚部１４と搭載部１５とで囲われる内部空間１７を形成することができる。これにより、上側取付部１０の台座部１２内に内部空間１７があっても、スライドコア２３によって台座部１２の内部に内部空間１７を確実にかつ良好に形成することができる。
【００６５】
この場合、スライドコア２３は、下金型２２から成型品である上部ケース６を抜き出す際に、上部ケース６と共に移動しながら下金型２２に対する上部ケース６の離型動作に連動して離型方向と直交する方向にスライドすることにより、成型品である上部ケース６を下金型２２から抜き出すときに、スライドコア２３を台座部１２の内部から自動的に抜き出すことができ、これにより生産性が良く、容易にかつ良好に台座部１２の内部に内部空間１７を形成することができると共に、上側取付部１０を上部ケース６と一体に形成することができる。
【００６６】
すなわち、この成型用金型２０は、下金型２２から成型品である上部ケース６を抜き出す押出装置２６を備え、この押出装置２６が可動ベース２８に設けられて上部ケース６を押し出す押出棒２９と、可動ベース２８にスライド片３０ａによって設けられてスライドコア２３をスライドさせる傾斜ピン３０と、を備えていることにより、下金型２２から成型品である上部ケース６を抜き出す際に、スライドコア２３を上部ケース６と共に移動させながら下金型２２に対する上部ケース６の離型動作に連動して離型方向と直交する方向にスライドさせて、台座部１２の内部から自動的に抜き出すことができる。
【００６７】
この場合、スライドコア２３は、下金型２２のコア収納部２２ａ内に配置され、このコア収納部２２ａ内の傾斜部２２ｂにスライドコア２３の傾斜部２３ａが密接していることにより、傾斜ピン３０がスライドコア２３を押し上げる際に、スライドコア２３の傾斜部２３ａを下金型２２のコア収納部２２ａ内の傾斜部２２ｂに沿って移動させることができる。これにより、スライドコア２３を台座部１２と共に斜め上方に押し上げて、スライドコア２３を台座部１２の内部から徐々に抜き出すことができるので、台座部１２内に内部空間１７を確実にかつ良好に形成することができる。
【００６８】
なお、上述した実施形態では、台座部１２の内部を単純な形状の内部空間１７に形成した場合について述べたが、この発明は、これに限らず、例えば図８に示す変形例のように台座部１２内に補強部３５を設けても良い。すなわち、この変形例の補強部３５は、台座部１２内における搭載部１５と上部ケース６の内面との間に位置して、スライドコア２３のスライド方向と平行に形成すれば良い。
【００６９】
また、上述した実施形態では、台座部１２の脚部１４の肉厚が上下方向に沿って均一な厚みで形成した場合について述べたが、この発明は、これに限らず、例えば図８に示す変形例のように、脚部１４の肉厚を上部ケース６の内面である上部側から下部側に向かうに従って次第に厚くなるように形成しても良い。
【００７０】
また、上述した実施形態では、上部ケース６に台座部１２およびボス部１３を備えた上側取付部１０について述べたが、この発明は、これに限らず、例えば下部ケース７の下側取付部１１を台座部１２とボス部１３とで形成した構造にしても良く、この下側取付部１１が設けられた下部ケース７を上述した実施形態の成型用金型２０と同じような成型用金型で成型するようにしても良い。
【００７１】
さらに、上述した実施形態では、電子鍵盤楽器に適用した場合について述べたが、この発明は必ずしも電子鍵盤楽器である必要はなく、例えばギター、マンドリン、バイオリン、琴などの弦楽器にも適用することができる。また、この発明は、必ずしも楽器である必要はなく、パーソナルコンピュータなどの電子機器にも適用することができる。
【００７２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７３】
（付記）
請求項１に記載の発明は、内面に取付部を有する第１部材と、前記取付部に、固定部材により取り付けられる第２部材と、を備え、前記取付部は、内部空間に連通した開口部が少なくとも１つの側面に設けられている台座部と、前記台座部上に配置され、前記固定部材が挿入されるボスと、を有し、前記台座部は、前記ボスより幅及び奥行きの少なくとも一方が長いことを特徴とする機器である。
【００７４】
請求項２に記載の発明は、請求項１に記載の機器において、前記台座部の前記幅及び前記奥行きの長さは、前記ボスの前記幅及び前記奥行きの長さより長いことを特徴とする機器である。
【００７５】
請求項３に記載の発明は、請求項１または請求項２に記載の機器において、前記取付部の縦断面における前記内部空間の幅は、前記ボスの内部に設けられている前記固定部材が挿入される挿入孔の幅より広いことを特徴とする機器である。
【００７６】
請求項４に記載の発明は、請求項１〜請求項３のいずれかに記載の機器において、前記台座部における横断面は前記ボスにおける横断面よりも大きいことを特徴とする機器である。
【００７７】
請求項５に記載の発明は、請求項１〜請求項４のいずれかに記載の機器において、前記開口部側の前記内部空間は、前記開口部側と反対側の前記内部空間より広いことを特徴とする機器である。
【００７８】
請求項６に記載の発明は、請求項１〜請求項５のいずれかに記載の機器において、前記取付部は、前記台座部及び前記ボスの側面に、前記台座部及び前記ボスを補強する補強部、を備えていることを特徴とする機器である。
【００７９】
請求項７に記載の発明は、操作子の形状に応じた貫通孔を有するとともに、内面に取付部を有する第１部材と、前記取付部に、固定部材により取り付けられる第２部材と、前記操作子の操作に応じた楽音を発音する発音部と、を備え、前記取付部は、内部空間に連通した開口部が少なくとも１つの側面に設けられている台座部と、前記台座部上に配置され、前記固定部材が挿入されるボスと、を有し、前記台座部は、前記ボスより幅及び奥行きの少なくとも一方が長いことを特徴とする電子楽器である。
【００８０】
請求項８に記載の発明は、内面に取付部を有する第１部材と、前記取付部に、固定部材により取り付けられる第２部材と、を備え、前記取付部は、内部空間に連通した開口部が少なくとも１つの側面に設けられている台座部と、前記台座部上に配置され、前記固定部材が挿入されるボスと、を有し、前記台座部は、前記ボスより幅及び奥行きの少なくとも一方が長いことを特徴とする機器を製造する金型である。
【符号の説明】
【００８１】
１  楽器ケース
６  上部ケース
７  下部ケース
８  ねじ部材
８ａ  ねじ部
８ｂ  頭部
１０  上側取付部
１１  下側取付部
１１ａ  ねじ挿入孔
１２  台座部
１３  ボス部
１３ａ  ねじ孔
１４  脚部
１５  搭載部
１６  補強リブ
１６ａ  ボス補強リブ
１６ｂ  台座補強リブ
１７  内部空間
２０  成型用金型
２１  上金型
２２  下金型
２３  スライドコア
２４  本体キャビティ
２５  取付キャビティ
２６  押出装置
２７  固定ベース
２８  可動ベース
２９  押出棒
３０  傾斜ピン
３０ａ  スライド片
３５  補強部
【図１】
2019114713.tif 000003
【図２】
2019114713.tif 000004
【図３】
2019114713.tif 000005
【図４】
2019114713.tif 000006
【図５】
2019114713.tif 000007
【図６】
2019114713.tif 000008
【図７】
2019114713.tif 000009
【図８】
2019114713.tif 000010